(57)【要約】【要  約】【課  題】  外出先でもお互いの使用しているフラッシュカードの種類に関係なく、お互いの画像、文書ファイル等を選び、手軽に異種フラッシュカード間でデータを交換できるフラッシュカード用データ処理装置を提供する。【解決手段】  複数の各種フラッシュカード用コネクタ６1〜６５と、これらコネクタを接続し、各コネクタに接続された各種フラッシュカードのデータの受け渡しを行う情報処理制御部２と、この情報処理制御部２に接続され受け渡しをするデータを表示するディスプレイ３と、前記情報処理制御部２を操作するための指示部４と、電池等の電源装置５と外部接続機器を接続するＵＳＢコネクタ８を備える。【選択図】図１
2005252748.tif 000002
【特許請求の範囲】
【請求項１】
複数の各種フラッシュカード用コネクタと、これらコネクタを接続し、各コネクタに接続された各種フラッシュカードのデータの受け渡しを行う情報処理制御手段と、この情報処理制御手段に接続され受け渡しをするデータを表示するディスプレイと、前記情報処理制御手段を操作するための指示手段と、電池等の電源装置を備えたことを特徴とするフラッシュカード用データ処理装置。
【請求項２】
表面パネルに各フラッシュカードの選択ボタンと、ファイル送りボタンと、表示フラッシュカード選択ボタンと、ファイルコピー選択ボタンと、決定ボタンと、取り消しボタンとを設け、かつ前記表示パネル又は器枠の側面に電源スイッチを設けたことを特徴とする請求項１記載のフラッシュカード用データ処理装置。
【請求項３】
ＩＥＥＥ１３９４やＵＳＢ等の外部接続インターフェースを備えたことを特徴とする請求項１記載のフラッシュカード用データ処理装置。
【発明の詳細な説明】
【技術分野】
【０００１】
本件発明は、規格が異なる異種フラッシュカードにデータの一部又は全部を移し変えるためのデータ処理装置に関するものである。
【背景技術】
【０００２】
現在、デジタルカメラをはじめ情報機器にはコンパクトフラッシュ（登録商標）（以下、ＣＦという）、マイクロドライブ(登録商標)（以下、ＭＤという）、スマートメディア(登録商標)（以下、ＳＭという）、メモリースティック（登録商標）（以下、ＭＳという）、ＳＤカード、マルチメディアカード（登録商標）（以下、ＭＭＣという）等の多種のフラッシュカードが使われており、種類も増え続けている。
【０００３】
そして、メーカーによって採用されるフラッシュカードはまちまちであるから、例えば、外出先で、友人と撮り貯めた画像ファイルをその場で交換したくても、お互いのフラッシュカードの種類が違ったり、デジタルカメラにそのような機能がないことから難しい。
【０００４】
従って、帰宅後撮影した画像ファイルをＰＣ又は、ＰＣ経由で周辺機器に保存し、電子メールに画像ファイルを添付したり、紙に出力して友人へ後日受渡すことになる。
【０００５】
このように異種のフラッシュカード間でのデータ交換には、多大な手間がかかり、ＰＣや電子メール等の使用に慣れていないユーザーにとっては煩雑で不便極まりなく、従ってフラッシュカードに記憶されたデータの利用の範囲が限られていた。又、その場で手軽にデータの交換でき、携帯できる装置が望まれていた。
【特許文献１】実用新案登録第3091939号公報
【発明の開示】
【発明が解決しようとする課題】
【０００６】
そこで本発明は、外出先でもお互いの使用しているフラッシュカードの種類に関係なく、お互いの画像、文書ファイル等を選び、手軽に異種フラッシュカード間でデータを交換できるフラッシュカード用データ処理装置を提供することを課題とするものである。
【課題を解決するための手段】
【０００７】
本発明は上記の課題を解決するためになされたもので、第１の発明は複数の各種フラッシュカード用コネクタと、これらコネクタを接続し、各コネクタに接続された各種フラッシュカードのデータの受け渡しを行う情報処理制御手段と、この情報処理制御手段に接続され受け渡しをするデータを表示するディスプレイと、前記情報処理制御手段を操作するための指示手段と、電池等の電源装置を備えたことを特徴とするフラッシュカード用データ処理装置である。
【０００８】
第２の発明は、第１の発明において、表面パネルに各フラッシュカードの選択ボタンと、ファイル送りボタンと、表示フラッシュカード選択ボタンと、ファイルコピー選択ボタンと、決定ボタンと、取り消しボタンとを設け、かつ前記表示パネル又は器枠の側面に電源スイッチを設けたことを特徴とするフラッシュカード用データ処理装置である。
【０００９】
第３の発明は、第１の発明において、ＩＥＥＥ１３９４やＵＳＢ等の外部接続インターフェースを備えたことを特徴とするフラッシュカード用データ処理装置である。
【発明の効果】
【００１０】
本発明によれば、外出先でもお互いの使用しているフラッシュカードの種類に関係なく、お互いのフラッシュカードに記憶されている画像等のデータを交換をすることができる。
【００１１】
また、外部接続インターフェースによりＰＣに接続、又はＰＣを介さず画像データを周辺機器に保存、又は紙に印刷することもできる。又、異種フラッシュカードにダビングできるため使用フラッシュカードのバックアップ機器としても利用できる。
【実施例１】
【００１２】
図１は本発明の一実施例のブロック図で、１は装置本体、２はＣＰＵ、メモリー等を備えたＩＣから構成される情報処理制御部、３は前記情報処理制御部に接続される液晶を用いたディスプレイ、４は指示部、５は電池電源部、６１〜６５は、前記情報処理制御部に接続されるコネクタで、コネクタ６１はＣＦ又はＭＤ７１のコネクタ、６２はＳＭ７２のコネクタ、６３はＭＳ又はＭＳｐｒｏ７３のコネクタ、６４はＳＤ又はＭＭＤ７４のコネクタ、６５は前記以外のフラッシュカード７５に対応するコネクタである。８はホストＰＣ９等とＵＳＢケーブルで接続するためのＵＳＢコネクタである。
【００１３】
各コネクタに接続された各種フラッシュカードは情報処理制御部２により制御され、各種フラッシュカードに記憶されたデータの一部又は全部を、指示部４の操作パネルに設けたボタンを操作することにより、指示部３に表示すると共に、フラッシュカードへ受け渡される。またＵＳＢコネクタ８を介してＰＣ９等に接続した場合、フラッシュカードのデータはＵＳＢコネクタ８を介して外部接続機器に受け渡される。
【００１４】
尚、上記実施例では、外部接続インターフェースとしてＵＳＢを用いたが、ＩＥＥＥ１３９４等の他の外部接続インターフェースを用いてもよいことは勿論である。
【００１５】
図２は本発明の実施例の外観を示す斜視図、図３はその平面図で、１１は装置本体１の表面パネル、３はディスプレイ、４１は表示メディア選択ボタン、４２はファイルコピー選択ボタン、４３は決定ボタン、４４は取消ボタン、４５はファイル送りボタン、４６はＭＳ選択ボタン、４７はＳＤ選択ボタン、４８はＣＦ選択ボタン、４９はＳＭ選択ボタン、５１は装置本体の右側面に設けた電源スイッチである。（図示せず）
【００１６】
次に本実施例の使用例について説明すると、先ず電源スイッチ５１を入れる。次にコピー対象ファイルがあるメディア（ここではＭＳ７３とする）と、コピーするメディア（ここではＳＤ７４とする）を装置の各スロット６３，６４に装着する。そして表示メディア選択ボタン４１を押した後、ＭＳ選択ボタン４６を押し、更に決定ボタン４３を押してコピー対象ファイルがあるＭＳ７３を選択後決定する。
【００１７】
以上の操作を行うと、液晶ディスプレイ３にＭＳ７３に記憶されたファイルの一部が表示される。
【００１８】
ディスプレイ３に表示されたファイルが、コピー対象ファイルでない場合は、ファイル送りボタン４５を操作してスクロールし、コピー対象ファイルを液晶ディスプレイ３の画面上に表示させる。
【００１９】
その操作が終わったならば、次にファイルコピー選択ボタン４２とＳＤ選択ボタン４７を押した後決定ボタンを押すと、ＳＤ７４へコピーが開始され、コピー完了時にコピー終了のメッセージを表示される。なお、コピーされるに従って液晶ディスプレイ上の文書ファイルが順次消えて行くように、ソフトを作成しておくと、使い勝手が更によくなる。
【００２０】
コピー対象が複数あるときは、ＳＤ選択ボタン４７とＣＦ選択ボタン４８の操作を繰り返す。
【００２１】
コピー完了のメッセージがでたらメディアを抜き取る。なお、中断する際は、取消しボタン４４を押し、処理完了のメッセージが液晶ディスプレイ３の画面に表示されてからメディアを抜く。
【００２２】
以上の説明から明らかなように、装置本体１を両手で持って、恰もゲーム機操作感覚で操作ボタンの操作を行うことにより、コピーしようとする文書ファイルを異種のメディアに極めて簡単にコピーすることが出来、各種フラッシュカードが次々に発表され使用されている現在、極めて使い勝手のよい便利重宝な情報処理グッズとして優れたものである。
【図面の簡単な説明】
【００２３】
【図１】本発明の実施例の構成を示すブロック図。
【図２】本発明の実施例の外観を示す斜視図。
【図３】本発明の実施例の平面図。
【符号の説明】
【００２４】
1      装置本体
2      情報処理制御部
3      ディスプレイ
4      指示部
5      電池電源部
61〜65      コネクタ
8      ＵＳＢコネクタ
9      ＰＣ
11      表面パネル
41      表示メディア選択ボタン
42      ファイルコピー選択ボタン
43      決定ボタン
44      取消ボタン
45      ファイル送りボタン
46      ＭＳ選択ボタン
47      ＳＤ選択ボタン
48      ＣＦ選択ボタン
49      ＳＭ選択ボタン
51      本源スイッチ
71      ＣＦ又はＭＤ
72      ＳＭ
73      ＭＳ
74      ＳＤ又はＭＭＤ
【図１】
2005252748.tif 000003
【図２】
2005252748.tif 000004
【図３】
2005252748.tif 000005